(57)【特許請求の範囲】
【請求項１】
タブレット状の収容物（Ｔ）を取出し自在に収容する包装箱において、
フィルムヒンジ（２）によって互いに結合された容器（１）と、供給口チャンバ（７）を備えた閉鎖蓋（３）とを有し、
前記閉鎖蓋（３）に設けられた操作部（５）に前記フィルムヒンジ（２）を中心として前記閉鎖蓋（３）を回転させるような圧力を加えて閉鎖状態にある閉鎖蓋（３）を容器（１）に対して一方向に回転させることにより閉鎖蓋（３）が開放位置に移動して供給口チャンバ（７）が現われ、収容物（Ｔ）を取出し可能となり、
反対に、開放状態にある閉鎖蓋（３）を容器（１）に対して反対方向に回転させることにより閉鎖蓋（３）が閉鎖位置に移動して供給口チャンバ（７）が閉鎖蓋（３）ごと容器（１）内に収容され、収容物（Ｔ）を取り出すことができなくなることを特徴とする包装箱。
【請求項２】
請求項１の包装箱において、
容器（１）の内部底面（１ｂ）に縦方向リブ（４）が設けられ、この縦方向リブ（４）が係止する表面凹み（１０）が閉鎖蓋（３）の下面に設けられ、閉鎖蓋（３）を開ける際、縦方向リブ（４）と係合してロック作用を奏し、閉鎖蓋（３）が通常の開放位置を越えて容器（１）から不測に開放されるのを防止するロック突起（１２）が表面凹み（１０）に設けられていることを特徴とする包装箱。
【請求項３】
請求項１の包装箱において、
閉鎖蓋（３）に、操作部（５）に隣接して、容器（１）内に挿入される舌片状の延長部（８）が設けられていることを特徴とする包装箱。
【請求項４】
請求項１の包装箱において、
閉鎖蓋（３）が開放位置に位置するときに供給口チャンバ（７）が容器（１）の内部から現われ、このときこの供給口チャンバ（７）の中にある一つまたは所要数の収容物（Ｔ）を外部から視認可能であることを特徴とする包装箱。
【請求項５】
請求項１の包装箱において、
閉鎖蓋（３）の表面凹み（１０）に、この表面凹み（１０）を二つの凹みに分割するように中央突起（１１）が設けられており、
前記中央突起（１１）が、開放時に縦方向リブ（４）と共働して可聴音を発生させるとともに閉鎖蓋（３）を一定の開放位置にロックし、閉鎖時に縦方向リブ（４）と共働して可聴音を発生させるとともに閉鎖蓋（３）を一定の閉鎖位置にロックし、
使用者が、前記作動時に発生する音から、包装箱が開放されたことまたは閉鎖されたことを知得可能であることを特徴とする包装箱。
【請求項６】
請求項１の包装箱において、
容器（１）の外面に接着されるラベル（１３）に、閉鎖蓋（３）の操作部（５）を覆う被覆部（１４）が一体に設けられており、
前記ラベル（１３）と前記被覆部（１４）の間にミシン目状の切断予定線（１５）が設けられており、
閉鎖蓋（３）を開く方向に所定の圧力を加えたときに前記切断予定線（１５）が自動的に切断されることを特徴とする包装箱。
【発明の詳細な説明】
【０００１】
【発明の属する技術分野】
本発明は、包装箱に係り、更に詳しくは、タブレット状の清涼菓子またはチューイングガム等よりなる収容物を取出し自在に収容する包装箱に関する。
【０００２】
【従来の技術】
公知のこの種の包装箱は、互いにスライド自在に組み合わされた外箱と内箱とを有しており、よって複数の合成樹脂製の部品が組み合わされた構成となっている。
【０００３】
したがって複数の部品を別々に射出成形して組み合わせなければならないという製造上手間がかかる問題があり、また使用者にとっても、余程器用に手指を動かさないと、片手で収容物を取り出すことができない不都合がある。
【０００４】
【発明が解決しようとする課題】
本発明は以上の点に鑑み、単一の部品よりなり、しかもフィルムヒンジを備えていて開閉操作時に容器と閉鎖蓋とを相対に回転させる構成であり、もって上記問題を解決することが可能な包装箱を提供することを目的とする。
【０００５】
【課題を解決するための手段】
上記目的を達成するため、本発明の請求項１による包装箱は、タブレット状の収容物を取出し自在に収容する包装箱において、フィルムヒンジによって互いに結合された容器と、供給口チャンバを備えた閉鎖蓋とを有し、前記閉鎖蓋に設けられた操作部に前記フィルムヒンジを中心として前記閉鎖蓋を回転させるような圧力を加えて閉鎖状態にある閉鎖蓋を容器に対して一方向に回転させることにより閉鎖蓋が開放位置に移動して供給口チャンバが現われ、収容物を取出し可能となり、反対に、開放状態にある閉鎖蓋を容器に対して反対方向に回転させることにより閉鎖蓋が閉鎖位置に移動して供給口チャンバが閉鎖蓋ごと容器内に収容され、収容物を取り出すことができなくなることを特徴とする。
【０００６】
また本発明の請求項２による包装箱は、請求項１の包装箱において、容器の内部底面に縦方向リブが設けられ、この縦方向リブが係止する表面凹みが閉鎖蓋の下面に設けられ、閉鎖蓋を開ける際、縦方向リブと係合してロック作用を奏し、閉鎖蓋が通常の開放位置を越えて容器から不測に開放されるのを防止するロック突起が表面凹みに設けられていることを特徴とする。
【０００７】
また本発明の請求項３による包装箱は、請求項１の包装箱において、閉鎖蓋に、操作部に隣接して、容器内に挿入される舌片状の延長部が設けられていることにした。
【０００８】
また本発明の請求項４による包装箱は、請求項１の包装箱において、閉鎖蓋が開放位置に位置するときに供給口チャンバが容器の内部から現われ、このときこの供給口チャンバの中にある一つまたは所要数の収容物を外部から視認可能であることにした。
【０００９】
また本発明の請求項５による包装箱は、請求項１の包装箱において、閉鎖蓋の表面凹みに、この表面凹みを二つの凹みに分割するように中央突起が設けられており、前記中央突起が、開放時に縦方向リブと共働して可聴音を発生させるとともに閉鎖蓋を一定の開放位置にロックし、閉鎖時に縦方向リブと共働して可聴音を発生させるとともに閉鎖蓋を一定の閉鎖位置にロックし、使用者が、前記作動時に発生する音から、包装箱が開放されたことまたは閉鎖されたことを知得可能であることにした。
【００１０】
また本発明の請求項６による包装箱は、請求項１の包装箱において、容器の外面に接着されるラベルに、閉鎖蓋の操作部を覆う被覆部が一体に設けられており、前記ラベルと前記被覆部の間にミシン目状の切断予定線が設けられており、閉鎖蓋を開く方向に所定の圧力を加えたときに前記切断予定線が自動的に切断されることにした。
【００１１】
【作用】
上記構成を備えた本発明の請求項１による包装箱においては、容器、フィルムヒンジおよび閉鎖蓋が一体に成形されているために、当該包装箱を唯一回の射出成形によって成形することが可能である。他の構成要素である供給口チャンバおよび操作部はそれぞれ閉鎖蓋に一体成形されている。
【００１２】
また上記構成を備えた本発明の請求項１による包装箱においては、容器と閉鎖蓋とがフィルムヒンジを介して所定の許容角度をもって相対に回転するようになっており、閉鎖状態にある閉鎖蓋を容器に対して一方向に回転させると、閉鎖蓋が開放位置に移動して供給口チャンバが現われ、タブレット状の収容物を取出し可能となる。また反対に、開放状態にある閉鎖蓋を容器に対して反対方向に回転させると、閉鎖蓋が閉鎖位置に移動して供給口チャンバが閉鎖蓋ごと容器内に収容され、収容物を取り出すことができなくなる。
【００１３】
また当該包装箱における閉鎖蓋の回転作動は、手指の動きに叶った合理的な動きである。すなわち、使用者が当該包装箱を片手で持つと、その親指の腹が丁度閉鎖蓋の操作部に当たり、親指を伸ばしたり折り曲げたりする方向と閉鎖蓋の回転方向とが一致することになる。したがって片手で容器を握った状態で容易に親指で閉鎖蓋を開けたり閉めたりすることができ、これによって容易に片手で開閉操作することが可能となる。
【００１４】
【発明の実施の形態】
誰でも経験したことがあるように、多数のタブレット状の収容物が容器から零れ出るとその回収が極めて厄介であり、よってこれを未然に防ぐために、本発明は以下の構成を備えている。
【００１５】
すなわち、先ず第一に、請求項２に記載されているように、縦方向リブと係合してロック作用を奏し、閉鎖蓋が通常の開放位置を越えて容器から不測に開放されるのを防止するロック突起が閉鎖蓋に設けられているために、このロック突起のロック作用によって収容物が零れ出るのを防止することが可能である。
【００１６】
第二に、請求項３に記載されているように、閉鎖蓋に操作部に隣接して容器内に挿入される舌片状の延長部が設けられていて、この延長部が閉鎖蓋が開放位置に位置するときに容器の隔離作用を奏して収容物を落下させないために、この延長部の隔離作用によって収容物が零れ出るのを防止することが可能である。
【００１７】
第三に、請求項４に記載されているように、閉鎖蓋が開放位置に位置するときに供給口チャンバが容器の内部から現われ、このときこの供給口チャンバの中にある一つまたは所要数の収容物を外部から視認可能であるために、使用者は、閉鎖蓋を開けてから包装箱を傾けて収容物を取り出すまでの間に、供給口チャンバの中にあってこれから取り出される収容物を目で視て確認することになる。供給口チャンバの中にあってこれから取り出される収容物を目で視て確認するということは、閉鎖蓋を開けたときにチャンバの中にある収容物が零れずにチャンバ内に収容されたままであることを意味しており、よってこのチャンバの収容作用により、収容物が零れ出るのを防止することが可能である。
【００１８】
第四に、請求項５に記載されているように、閉鎖蓋の表面凹みにこの表面凹みを二つの凹みに分割するように中央突起が設けられていて、この中央突起が閉鎖時に縦方向リブと共働して可聴音を発生させるとともに閉鎖蓋を一定の閉鎖位置にロックし、使用者が前記作動時に発生する音から包装箱が閉鎖されたことを知得可能であるために、この中央突起の可聴音による告知作用および中央突起のロック作用によって、閉鎖蓋が閉じたことを確実に知ることができ、また閉鎖蓋が不測に開いて収容物が零れ出るのを防止することが可能である。尚、この中央突起の可聴音による告知作用および中央突起のロック作用は、閉鎖蓋の開放時にも発生する。
【００１９】
樹脂を材料として一体に成形されるのは、容器、フィルムヒンジおよび閉鎖蓋よりなる包装箱の本体部分であって、包装箱が実際の流通段階に達する迄には更に、商標や商品説明を印刷したラベルがこの本体部分の外面に接着される。これに関して本発明の請求項６による包装箱においては、容器の外面に接着されるラベルに閉鎖蓋の操作部を覆う被覆部が一体に設けられ、ラベルと被覆部の間にミシン目状の切断予定線が設けられ、閉鎖蓋を開く方向に所定の圧力を加えたときに切断予定線が自動的に切断されるようになっているために、切断予定線が未だ切断されていないことによって包装箱が開封されていないことを確認することが可能である。また閉鎖蓋を開く方向に所定の圧力を加えると切断予定線が自動的に切断されるために、切断ないし開封に際して特別の作業を要しない。
【００２０】
【実施例】
つぎに本発明の実施例を図面にしたがって説明する。
【００２１】
図１ないし図８に示すように、当該実施例に係る包装箱は、先ず、長手方向一端部を開口した合成樹脂製の容器１を備えており、この容器１の開口側に適宜の可撓性を備えたフィルムヒンジ２を介して閉鎖蓋３が一体に成形されており、この閉鎖蓋３が容器１に対してフィルムヒンジ２を中心として、図２の閉鎖位置から図６、図７の位置を経て図８の位置の方へ回転自在となっている。図１ないし図４は閉鎖蓋３を閉じた状態、図５および図６は、容器１の内部に収容したタブレット状の収容物Ｔを取り出すために閉鎖蓋３を開けた通常の開放状態を示しており、通常の使用において、使用者は、この二通りの状態を切替え操作する。また図５および図６に示した通常の開放状態では、これ以上、閉鎖蓋３が開かないよう後記するようにロック機構が作動するが、意図的に大きな力を加えてこのロックを無理やり外すと、閉鎖蓋３が図７の位置、更に図８の位置へと回転可能となる。図２、図６、図７および図８はそれぞれ、当該包装箱の内部構造を分かり易くするため、容器１の天壁１ａを切除して描いている。
【００２２】
容器１の内部底面１ｂに、この容器１の長手方向に沿って、縦方向リブ４が一体に成形されている。この縦方向リブ４の横断面は、図３および図４に示したように、斜辺を左側（閉鎖側）に配した略直角三角形とされており、よって閉鎖蓋３を開閉操作するときに、開けるにきつく閉じるに緩いという状態が作り出されている。
【００２３】
閉鎖蓋３が容器１に対して図２の閉鎖位置にあるとき、この閉鎖蓋３はその操作部５以外の全部が容器１内に収容され、この状態から回転に応じて徐々に外部に出て来るようになっており、この閉鎖蓋３に、以下のものが一体成形されている。
【００２４】
すなわち、先ず、フィルムヒンジ２から最も遠い所に、開閉時に手指を当てる操作部５が設けられており、この操作部５の外部側面に溝状の滑止め６が設けられている。操作部５のフィルムヒンジ２側に供給口チャンバ７が設けられ、また操作部５に隣接して、適宜の可撓性を備えた舌片状ないしトング状の延長部８が設けられている。供給口チャンバ７は、容器１内部に収容されたタブレット状の収容物Ｔを一つずつこの供給口チャンバ７へ移動させ、更にこの供給口チャンバ７から外部へ取り出すことができるように、容器１内部へ向けての後方と外部へ向けての上方とを開口され、残りの前方、左右側方および下方をそれぞれ壁部７ａ，７ｂ，７ｃ，７ｄによって画成されている。容器１内部の収容物Ｔは、閉鎖蓋３を下げるように当該包装箱を傾けると、延長部８の内面と反対側の案内壁部９とに案内されつつ矢印Ｃ方向に移動して来て、供給口チャンバ７内へ入り込むことになる。舌片状の延長部８は、成形後における閉鎖蓋３の閉方向への回転に伴って容器１の内部に差し込まれたもので、閉鎖蓋３が図６の通常の開放位置に位置するときにも延長部８の先端部が容器１内に位置するので、収容物Ｔを矢印Ｄ方向へ落下させない。
【００２５】
供給口チャンバ７のフィルムヒンジ２側に位置して閉鎖蓋３の下面に、縦方向リブ４を係止する平面略扇形の表面凹み１０が設けられており、この表面凹み１０の天壁部分に中央突起１１が下向きに設けられている。中央突起１１は、閉鎖蓋３を開ける際、縦方向リブ４を乗り越えて「カチッ」という可聴音を発生させるとともに縦方向リブ４と係合して閉鎖蓋３を一定の開放位置にロックし、また閉鎖蓋３を閉じる際、反対方向に縦方向リブ４を乗り越えて「カチッ」という可聴音を発生させるとともに縦方向リブ４と係合して閉鎖蓋３を一定の閉鎖位置にロックするもので、表面凹み１０を、回転方向に並んだ二つの凹みに分割する位置に設けられている。また表面凹み１０の供給口チャンバ７側の側壁部分の一部または全部をもって、閉鎖蓋３を開ける際、縦方向リブ４と係合してロック作用を奏し、閉鎖蓋３が図６の通常の開放位置を越えて容器１から不測に開放されるのを防止するロック突起１２が設けられている。尚、閉鎖蓋３の下面に表面凹み１０を設けて、ここにロック機構を設けたのは、容器１の高さと閉鎖蓋３の高さとをできるだけ近付けるためである。
【００２６】
また図９は、容器１の外面に接着される紙製のラベル１３の展開状態を示している。すなわち、このラベル１３は、容器１の上面に接着される接着部分１３ａと、容器１の側面に接着される接着部分１３ｂと、容器１の下面に接着される接着部分１３ｃとを一体に備えていて、このラベル１３に、閉鎖蓋３の操作部５の一部を覆う被覆部１４が一体に設けられ、更にこのラベル１３と被覆部１４の間にミシン目状の切断予定線１５が設けられており、操作部５に手指を当てて閉鎖蓋３を開く方向に所定の圧力を加えると、この切断予定線１５が自動的に切断されるようになっている。
【００２７】
上記構成を備えた包装箱は、上記したようにこれを容易に片手で操作することが可能である。またその構成に基づいて以下の作用効果を奏する。
【００２８】
（１）  ラベル１３に関する構成要素を除く全ての構成要素が容器１、フィルムヒンジ２および閉鎖蓋３を含めて樹脂によって一体に成形されているために、当該包装箱を唯一回の射出成形によって成形することが可能である。したがって当該包装箱を容易に製造することができる。
【００２９】
（２）  上記した操作性の良さについては以下のとおりである。すなわち、使用者が当該包装箱を片手で持つと、その親指の腹が丁度、閉鎖蓋３の操作部５に当たり、親指を伸ばしたり折り曲げたりする方向と閉鎖蓋３の回転方向とが一致する。したがって片手で容器１を握った状態で容易に親指で閉鎖蓋３を開けたり閉めたりすることができ、これによって容易に片手で開閉操作することができる。また操作部５の外部側面に溝状の滑止め６が設けられているために、操作時に手指が滑りにくく、操作し易い。
【００３０】
（３）  縦方向リブ４と係合してロック作用を奏し、閉鎖蓋３が図６の通常の開放位置を越えて容器１から不測に開放されるのを防止するロック突起１２が設けられているために、このロック突起１２のロック作用によって収容物Ｔが零れ出るのを防止することができる。
【００３１】
（４）  容器１内に挿入された閉鎖蓋３側の舌片状の延長部８が、閉鎖蓋３が図６の通常の開放位置に位置するときに、容器１の隔離作用を奏して収容物Ｔを落下させないために、この延長部８の隔離作用によって収容物Ｔが零れ出るのを防止することができる。
【００３２】
【００３３】
（５）  閉鎖蓋３を開けたとき、供給口チャンバ７が容器１の内部から現われて来て、この供給口チャンバ７の中にある収容物Ｔを外部から視認可能であるために、閉鎖蓋３を開けてから包装箱を傾けて収容物Ｔを取り出すまでの間に、供給口チャンバ７の中にあってこれから取り出される収容物Ｔを目で視て確認し、それからゆっくりと収容物Ｔを取り出すことができる。供給口チャンバ７が収容作用を奏することにより、閉鎖蓋３を開けた瞬間に収容物Ｔが飛び出して来るようなことがない。
【００３４】
（６）  閉鎖蓋３を閉じるとき、閉鎖蓋３の下面に設けられた中央突起１１が縦方向リブ４を乗り越えて「カチッ」という可聴音を発生させるとともに縦方向リブ４と係合して閉鎖蓋３を一定の閉鎖位置にロックし、使用者が前記作動時に発生する音から包装箱が閉鎖されたことを知得可能であるために、この中央突起１１の可聴音による告知作用および中央突起１１のロック作用によって、閉鎖蓋３が閉じたことを確実に知ることができ、閉鎖状態を安定させることができ、また閉鎖蓋３が不測に開いて収容物Ｔが零れ出るのを防止することができる。また閉鎖蓋３を開けるときにも同様の効果がある。
【００３５】
（７）  容器１の外面に接着されるラベル１３に閉鎖蓋３の操作部５を覆う被覆部１４が一体に設けられ、ラベル１３と被覆部１４の間にミシン目状の切断予定線１５が設けられ、閉鎖蓋３を開く方向に所定の圧力を加えたときに切断予定線１５が自動的に切断されるようになっているために、切断予定線１５が未だ切断されていないことによって包装箱が開封されていないことを確認することができる。また閉鎖蓋３を開く方向に所定の圧力を加えると切断予定線１５が自動的に切断されるために、切断ないし開封に際して特別の作業が不要である。
【００３６】
【発明の効果】
本発明は、以下の効果を奏する。
【００３７】
先ず、請求項１に係る発明は、以下の効果を奏する。
すなわち、ラベルに関する構成要素を除く全ての構成要素が容器、フィルムヒンジおよび閉鎖蓋を含めて一体に成形されているために、当該包装箱を唯一回の射出成形によって成形することが可能である。したがって当該包装箱を容易に製造することができる。
【００３８】
また使用者が当該包装箱を片手で持ったときに、その親指の腹が丁度、閉鎖蓋の操作部に当たり、親指を伸ばしたり折り曲げたりする方向と閉鎖蓋の回転方向とが一致する。したがって片手で容器を握った状態で容易に親指で閉鎖蓋を開けたり閉めたりすることができ、これによって容易に片手で開閉操作することができる。
【００３９】
これに加えて、請求項２に係る発明は、以下の特有の効果を奏する。
すなわち、縦方向リブと係合してロック作用を奏し、閉鎖蓋が通常の開放位置を越えて容器から不測に開放されるのを防止するロック突起が設けられているために、このロック突起のロック作用によって収容物が零れ出るのを防止することができる。
【００４０】
請求項３に係る発明は、以下の特有の効果を奏する。
すなわち、容器内に挿入された閉鎖蓋側の舌片状の延長部が、閉鎖蓋が通常の開放位置に位置するときに、容器の隔離作用を奏して収容物を落下させないために、この延長部の隔離作用によって収容物が零れ出るのを防止することができる。
【００４１】
【００４２】
請求項４に係る発明は、以下の特有の効果を奏する。
すなわち、閉鎖蓋を開けたとき、供給口チャンバが容器の内部から現われて来て、この供給口チャンバの中にある収容物を外部から視認可能であるために、閉鎖蓋を開けてから包装箱を傾けて収容物を取り出すまでの間に、供給口チャンバの中にあってこれから取り出される収容物を目で視て確認し、それからゆっくりと収容物を取り出すことができる。供給口チャンバが収容作用を奏することにより、閉鎖蓋を開けた瞬間に収容物が飛び出して来るようなことがない。
【００４３】
請求項５に係る発明は、以下の特有の効果を奏する。
すなわち、閉鎖蓋を閉じるとき、閉鎖蓋に設けられた中央突起が縦方向リブと共働して可聴音を発生させるとともに閉鎖蓋を一定の閉鎖位置にロックし、使用者が前記作動時に発生する音から包装箱が閉鎖されたことを知得可能であるために、この中央突起の可聴音による告知作用および中央突起のロック作用によって、閉鎖蓋が閉じたことを確実に知ることができ、閉鎖状態を安定させることができ、また閉鎖蓋が不測に開いて収容物が零れ出るのを防止することができる。また閉鎖蓋を開けるときにも同様の効果がある。
【００４４】
請求項６に係る発明は、以下の特有の効果を奏する。
すなわち、容器の外面に接着されるラベルに閉鎖蓋の操作部を覆う被覆部が一体に設けられ、ラベルと被覆部の間にミシン目状の切断予定線が設けられ、閉鎖蓋を開く方向に所定の圧力を加えたときに切断予定線が自動的に切断されるようになっているために、切断予定線が未だ切断されていないことによって包装箱が開封されていないことを確認することができる。また閉鎖蓋を開く方向に所定の圧力を加えると切断予定線が自動的に切断されるために、切断ないし開封に際して特別の作業が不要である。
【図面の簡単な説明】
【図１】本発明の実施例に係る包装箱の閉鎖状態を示す斜視図
【図２】同閉鎖状態を示す一部切欠した平面図
【図３】図２におけるＡ−Ａ線拡大断面図
【図４】図２におけるＢ−Ｂ線拡大断面図
【図５】同包装箱の通常の開放状態を示す斜視図
【図６】同開放状態を示す一部切欠した平面図
【図７】閉鎖蓋を更に開放した状態を示す一部切欠した平面図
【図８】閉鎖蓋を更に開放した状態を示す一部切欠した平面図
【図９】ラベルの展開図
【符号の説明】
１  容器
１ａ  天壁
１ｂ  内部底面
１ｃ  内部側面
２  フィルムヒンジ
３  閉鎖蓋
４  縦方向リブ
５  操作部
６  滑止め
７  供給口チャンバ
７ａ，７ｂ，７ｃ，７ｄ  壁部
８  延長部
９  案内壁部
１０  表面凹み
１１  中央突起
１２  ロック突起
１３  ラベル
１３ａ，１３ｂ，１３ｃ  接着部分
１４  被覆部
１５  切断予定線
Ｔ  収容物
【図１】
0003597928.tif 000002
【図２】
0003597928.tif 000003
【図３】
0003597928.tif 000004
【図４】
0003597928.tif 000005
【図５】
0003597928.tif 000006
【図６】
0003597928.tif 000007
【図７】
0003597928.tif 000008
【図８】
0003597928.tif 000009
【図９】
0003597928.tif 000010